(57)【要約】【課題】湿度上昇に掛かる時間を短縮できる加湿装置を提供する。【解決手段】加湿装置１Ａは、フロントパネル４０の吸込口グリル４１から空気を吸い込んで吹出口グリル４２から吹き出す送風ファン部１０Ａと、送風ファン部１０Ａで吹き出される空気を加熱するヒータ２０Ａと、ヒータ２０Ａに温水を噴霧して、蒸気を発生させる給水機構３０を備え、ヒータ２０Ａに温水を噴霧して発生させた蒸気を送風して吹出口グリル４２から温湿風を吹き出し、室内を加湿暖房する。【選択図】        図１
2008215684.tif 000002
【特許請求の範囲】
【請求項１】
室内吸込口から空気を吸い込んで室内吹出口から吹き出す送風手段と、
前記送風手段で吹き出される空気を加熱する加熱手段と、
前記加熱手段に温水または水を吹き付けて、蒸気を発生させる給水手段とを備え、
前記加熱手段は、前記給水手段で吹き付けられた温水または水を保持する水保持手段を備えた
ことを特徴とする加湿装置。
【請求項２】
前記室内吹出口に、前記水保持手段とは別の他の水保持手段を備えた
ことを特徴とする請求項１記載の加湿装置。
【請求項３】
前記給水手段は、温水または水を霧状にして前記加熱手段に噴霧するノズルを備えた
ことを特徴とする請求項１または２記載の加湿装置。
【請求項４】
空気を吸い込んで吹き出す送風手段と、
前記送風手段で室内吸込口から吸い込んだ空気を、室内吹出口から吹き出すか屋外へ排出するかを切り換える風路切換手段と、
前記送風手段で前記室内吹出口から吹き出される空気を加熱する加熱手段と、
前記加熱手段に温水または水を吹き付けて、蒸気を発生させる給水手段とを備えた
ことを特徴とする加湿空調装置。
【発明の詳細な説明】
【技術分野】
【０００１】
本発明は、浴室やシャワー室等の室内を加湿する加湿装置、及び空調や換気の機能が併設された加湿空調装置に関する。
【背景技術】
【０００２】
従来より、温水をミストとして浴室内に噴出し、浴室の加湿を行うミスト装置が提案されている（例えば、特許文献１参照）。
【０００３】
このようなミスト装置は、単数もしくは複数のミストノズルを浴室の壁面等に設置して、給湯器から供給された温水をミストにして浴室内に噴出する構成である。
【０００４】
しかし、ノズルからミストを噴出して加湿を行う構成では、入浴者等が直接水滴を浴びることで体が濡れてしまい、発汗により体が濡れているのか、ミストの水滴で体が濡れているのか判断しにくい状況になってしまい、加湿による発汗を実感できない虞があった。
【０００５】
これに対して、水槽に貯めた水をヒータで加熱して蒸気を発生させて空気を加湿する蒸気加湿装置が提案されている（例えば、特許文献２参照）。
【０００６】
蒸気加湿装置では、入浴者等は直接水滴を浴び難くなって、加湿による発汗が実感しやすくなる。
【０００７】
【特許文献１】特公平６−５９３０１号公報
【特許文献２】特開２００２−２６７２１５号公報
【発明の開示】
【発明が解決しようとする課題】
【０００８】
しかし、従来の蒸気加湿装置では、水槽に水を貯めてヒータによる加熱で沸騰させるまでに時間が掛かるので、立ち上がりの湿度上昇が遅く、運転を開始してから、浴室内が入浴に適した湿度に上昇するまでに時間が掛かる。
【０００９】
また、水槽に温水を給湯すれば、沸騰に掛かる時間は短縮されるが、蒸気加湿装置と給湯器との間に残っている温度の下がった温水（水）を排水する水抜きを運転開始時に行わないと、所望の温度の温水を水槽に給湯できず、水抜きに時間が掛かる。更に、温水が供給されるまで排水を行うことで、水の消費量が増大する。
【００１０】
本発明は、このような課題を解決するためになされたもので、湿度上昇に掛かる時間を短縮すると共に、水の消費を抑えた加湿装置及び空調や換気の機能が併設された加湿空調装置に関する。
【課題を解決するための手段】
【００１１】
上述した課題を解決するため、本発明の加湿装置は、室内吸込口から空気を吸い込んで室内吹出口から吹き出す送風手段と、送風手段で吹き出される空気を加熱する加熱手段と、加熱手段に温水または水を吹き付けて、蒸気を発生させる給水手段とを備え、加熱手段は、給水手段で吹き付けられた温水または水を保持する水保持手段を備えたことを特徴とする。
【００１２】
本発明の加湿装置では、加熱手段の温度を上昇させ、給水手段で温水または水を吹き付けると、加熱手段に吹き付けられた温水または水が水保持手段で保持されて気化し、蒸気が発生する。そして、送風手段で蒸気を送風して室内吹出口から温湿風を吹き出し、室内を加湿暖房する。
【００１３】
なお、上述した本発明の加湿装置と、室内の暖房を少なくとも行う空調装置とを備えて、加湿空調システムを構成することができる。
【００１４】
すなわち、加湿空調システムでは、加湿装置は、上述したように、加熱手段に温水または水を吹き付けて発生させた蒸気を送風し、室内吹出口から吹き出す。また、空調装置は、温風等を室内に吹き出す。これにより、加湿装置と空調装置で蒸気と温風を吹き出して、室内を加湿暖房する。
【００１５】
このような加湿空調システムによれば、運転開始後、短時間で加湿装置から蒸気が室内に吹き出されると共に、空調装置で室内の暖房が行われることで、室内を短時間で加湿暖房することができる。
【００１６】
本発明の加湿空調装置は、空気を吸い込んで吹き出す送風手段と、送風手段で室内吸込口から吸い込んだ空気を、室内吹出口から吹き出すか屋外へ排出するかを切り換える風路切換手段と、送風手段で室内吹出口から吹き出される空気を加熱する加熱手段と、加熱手段に温水または水を吹き付けて、蒸気を発生させる給水手段とを備えたことを特徴とする。
【００１７】
本発明の加湿空調装置では、加熱手段の温度を上昇させ、給水手段で温水または水を吹き付けると、加熱手段に吹き付けられた温水または水が気化し、蒸気が発生する。そして、風路切換手段で空気の吹出方向を室内吹出口として、送風手段で蒸気を送風して室内吹出口から温湿風を吹き出し、室内を加湿暖房する。
【００１８】
また、本発明の加湿空調装置では、風路切換手段で空気の吹出方向を室内吹出口として、給水手段を駆動せずに加熱手段と送風手段を駆動して、室内吹出口から温風を吹き出し、室内を暖房する。
【００１９】
更に、本発明の加湿空調装置では、風路切換手段で空気の吹出方向を屋外として、給水手段と加熱手段を駆動せずに送風手段を駆動して、室内吸込口から吸い込んだ空気を屋外に排出し、室内を換気する。
【発明の効果】
【００２０】
本発明の加湿装置によれば、加熱手段に温水または水を吹き付けて蒸気を発生させることで、温水または水が気化するまでの時間は短く、水槽に水を貯める時間や、水槽の水を沸騰させる時間が不要となって、加湿の対象となる室内の湿度を短時間で上昇させることができる。
【００２１】
また、給湯器から温水を供給する場合でも、温水の温度が上昇するまで水抜きを行う必要がなく、水の消費を抑えることができる。
【００２２】
本発明の加湿空調装置によれば、装置単体で室内の加湿暖房が行えると共に、加湿を伴わない暖房や換気等が行えるので、設置場所の制約を低減することができると共に、コストを低減することができる。
【発明を実施するための最良の形態】
【００２３】
以下、図面を参照して本発明の加湿装置及び加湿空調装置の実施の形態について説明する。
【００２４】
＜第１の実施の形態の加湿装置の構成例＞
図１は、第１の実施の形態の加湿装置の一例を示す構成図である。第１の実施の形態の加湿装置１Ａは、空気を吸い込んで吹き出す送風ファン部１０Ａと、送風ファン部１０Ａで吹き出される空気を加熱するヒータ２０Ａと、ヒータ２０Ａに温水を噴霧する給水機構３０とを備える。
【００２５】
送風ファン部１０Ａは送風手段の一例で、ファンモータ１１Ｍにより回転駆動される多翼のファン１１と、ファン１１の軸方向に沿った下部に形成される吸込口１２と、ファン１１の径方向に沿った風路形成部１３と、風路形成部１３とつながった下部に形成される吹出口１４とを備える。
【００２６】
ヒータ２０Ａは加熱手段の一例で、吹出口１４にＰＴＣヒータ等の電気ヒータを備えて構成される。
【００２７】
給水機構３０は給水手段の一例で、ヒータ２０Ａに温水（水）を噴霧するノズル３１と、図示しない給湯装置とつながって、ノズル３１に温水ＳＷを供給する給水配管３２と、ノズル３１からの温水の噴霧の有無を切り換えるノズル弁３３とを備える。
【００２８】
ノズル３１は、温水の吹出方向を上方に向けて、ヒータ２０Ａの下方に設置され、ノズル３１から噴霧される温水が、直接滴下しないようにしている。
【００２９】
加湿装置１Ａは、下面にフロントパネル４０を備える。フロントパネル４０は、送風ファン部１０Ａの吸込口１２とつながる室内吸込口としての吸込口グリル４１と、送風ファン部１０Ａの吹出口１４とつながる室内吹出口としての吹出口グリル４２を備える。
【００３０】
図２は、第１の実施の形態におけるヒータの一例を示す構成図で、図２（ａ）は、ヒータ２０Ａの正面図、図２（ｂ）は、ヒータ２０Ａの平面図である。
【００３１】
ヒータ２０Ａは、空気の流れる方向に沿って複数枚の放熱フィン２１Ａが並列し、各放熱フィン２１Ａに水垂れ防止穴２２が開けられている。水垂れ防止穴２２は水保持手段の一例で、図１に示すノズル３１から噴霧された温水を表面張力で保持できる径を有し、放熱フィン２１Ａを貫通した複数の穴で構成される。
【００３２】
このように、ヒータ２０Ａの放熱フィン２１Ａに水垂れ防止穴２２を開けて、ノズル３１から噴霧された温水を表面張力で放熱フィン２１Ａに保持することで水垂れが防止され、ノズル３１からヒータ２０Ａに噴霧された温水を、ヒータ２０Ａの加熱で効率良く蒸気化することができる。
【００３３】
図１に戻り、加湿装置１Ａは、吹出口グリル４２の内側でヒータ２０Ａの下方の吹出口１４にネット２４を備える。図３は、ネットの一例を示す平面図である。ネット２４は他の水保持手段の一例で、空気を通すと共に、水滴を保持する網目の粗さを有する。ネット２４は、図１に示す吹出口１４の開口形状に合わせて例えば四角形状で構成され、ノズル３１から噴霧され、ヒータ２０Ａで保持されない温水を保持して、水垂れを防止する。また、ヒータ２０Ａで加熱された空気がネット２４を通過することで、ネット２４で保持された温水が蒸気化される。
【００３４】
＜第１の実施の形態の加湿装置の動作例＞
次に、第１の実施の形態の加湿装置１Ａの動作例を、各図を参照して説明する。
【００３５】
加湿装置１Ａは、送風ファン部１０Ａのファンモータ１１Ｍを駆動して、ファン１１を回転させる。また、ヒータ２０Ａに通電して、放熱フィン２１Ａを加熱させると共に、給水機構３０のノズル弁３３を開いて、加熱された放熱フィン２１Ａにノズル３１からミストにした温水Ｍを噴霧させる。
【００３６】
加湿装置１Ａは、ファン１１が回転すると、フロントパネル４０の吸込口グリル４１から送風ファン部１０Ａの吸込口１２に空気ＲＡが吸い込まれ、吸込口１２から吸い込まれた空気は風路形成部１３を送風され、吹出口１４から吹き出される。
【００３７】
また、加湿装置１Ａは、ヒータ２０Ａに通電すると共に、ヒータ２０Ａにノズル３１から温水Ｍを噴霧すると、放熱フィン２１Ａに付着した温水が加熱されて気化し、蒸気が発生する。
【００３８】
これにより、ヒータ２０Ａにノズル３１で温水を噴霧して発生させた蒸気Ｖが、送風ファン部１０Ａの吹出口１４から吹き出される空気で送風されると共にヒータ２０Ａで加熱され、フロントパネル４０の吹出口グリル４２から蒸気を含む温湿風が吹き出される。
【００３９】
更に、ノズル３１から噴霧された温水Ｍの一部はネット２４で保持され、ヒータ２０Ａで加熱された空気が送風ファン部１０Ａで送風されてネット２４を通過することで気化されて、蒸気Ｖとして吹出口グリル４２から吹き出される。
【００４０】
このように、第１の実施の形態の加湿装置１Ａでは、ヒータ２０Ａに直接温水を噴霧して蒸気を発生させることで、温水の噴霧を開始してから、気化されるまでの時間が短縮される。また、貯水せずに蒸気を発生させることから、給湯の初期段階で温度の低い温水がヒータ２０Ａに噴霧されても、気化に要する時間が大幅に延びることがなく、温水の温度が上昇するまでの捨て水が不要である。このため、給水機構３０を図示しない上水管と接続して、ヒータ２０Ａに水を噴霧するようにしても良い。
【００４１】
そして、ヒータ２０Ａの放熱フィン２１Ａに水垂れ防止穴２２が開けられることで、ノズル３１から噴霧された温水が表面張力で放熱フィン２１Ａに保持される。これにより、ヒータ２０Ａに供給した温水が気化されることなく排水されてしまい無駄となる水垂れが防止されるので、ノズル３１からヒータ２０Ａに噴霧された温水を、ヒータ２０Ａの加熱で効率良く蒸気化することができる。
【００４２】
更に、吹出口グリル４２の内側でヒータ２０Ａの下方の吹出口１４にネット２４を備えることで、ノズル３１から噴霧されてヒータ２０Ａで保持されない温水が保持され、水垂れが防止される。また、ネット２４で保持された温水が、ネット２４を温風が通過することで気化されて蒸気となって吹き出されるので、無駄を一層減らすことができる。
【００４３】
＜第２の実施の形態の加湿装置の構成例＞
図４は、第２の実施の形態の加湿装置の一例を示す構成図である。第２の実施の形態の加湿装置１Ｂは、空気を吸い込んで吹き出す送風ファン部１０Ｂと、送風ファン部１０Ｂで吹き出される空気を加熱するヒータ２０Ｂと、ヒータ２０Ｂに温水を噴霧する給水機構３０とを備える。
【００４４】
送風ファン部１０Ｂは送風手段の一例で、ファンモータ１１Ｍにより回転駆動される多翼のファン１１と、ファン１１の軸方向に沿った下部に形成される吸込口１２と、ファン１１の径方向に沿った風路形成部１３と、風路形成部１３とつながった下部に形成される吹出口１４とを備える。
【００４５】
ヒータ２０Ｂは加熱手段の一例で、ファン１１の径方向に沿って側方に延びる風路形成部１３に、ＰＴＣヒータ等の電気ヒータを備えて構成される。
【００４６】
給水機構３０は給水手段の一例で、ヒータ２０Ｂに温水（水）を噴霧するノズル３１と、図示しない給湯装置とつながって、ノズル３１に温水ＳＷを供給する給水配管３２と、ノズル３１からの温水の噴霧の有無を切り換えるノズル弁３３とを備える。
【００４７】
ノズル３１は、温水の吹出方向を略水平に向けて、ヒータ２０Ｂの側部に設置される。
【００４８】
加湿装置１Ｂは、下面にフロントパネル４０を備える。フロントパネル４０は、送風ファン部１０Ｂの吸込口１２とつながる吸込口グリル４１と、送風ファン部１０Ｂの吹出口１４とつながる吹出口グリル４２を備える。
【００４９】
加湿装置１Ｂは、吹出口グリル４２の内側の吹出口１４に、図３で説明したネット２４を備える。ネット２４は、ノズル３１から噴霧され、ヒータ２０Ｂで保持されない温水を保持して、水垂れを防止する。また、ヒータ２０Ｂで加熱された空気がネット２４を通過することで、ネット２４で保持された温水が蒸気化される。
【００５０】
図５は、第２の実施の形態におけるヒータの一例を示す構成図で、図５（ａ）は、ヒータ２０Ｂの正面図、図５（ｂ）は、ヒータ２０Ｂの側面図である。
【００５１】
ヒータ２０Ｂは、複数枚の放熱フィン２１Ｂが上下方向に並列するように、風路形成部１３に縦向きに配置される。放熱フィン２１Ｂは水保持手段の一例で、各放熱フィン２１Ｂが空気の流れる方向に沿って略水平となる向きで配置されることで、図４に示すノズル３１から噴霧された温水が放熱フィン２１Ｂで保持される。
【００５２】
これにより、ノズル３１から噴霧された温水を放熱フィン２１Ｂの面で保持することで水垂れが防止され、ノズル３１からヒータ２０Ｂに噴霧された温水を、ヒータ２０Ｂの加熱で効率良く蒸気化することができる。
【００５３】
＜第２の実施の形態の加湿装置の動作例＞
次に、第２の実施の形態の加湿装置１Ｂの動作例を、各図を参照して説明する。
【００５４】
加湿装置１Ｂは、送風ファン部１０Ｂのファンモータ１１Ｍを駆動して、ファン１１を回転させる。また、ヒータ２０Ｂに通電して、放熱フィン２１Ｂを加熱させると共に、給水機構３０のノズル弁３３を開いて、加熱された放熱フィン２１Ｂにノズル３１からミストにした温水Ｍを噴霧させる。
【００５５】
加湿装置１Ｂは、ファン１１が回転すると、フロントパネル４０の吸込口グリル４１から送風ファン部１０Ｂの吸込口１２に空気ＲＡが吸い込まれ、吸込口１２から吸い込まれた空気は風路形成部１３を送風され、吹出口１４から吹き出される。
【００５６】
また、加湿装置１Ｂは、ヒータ２０Ｂに通電すると共に、ヒータ２０Ｂにノズル３１から温水Ｍを噴霧すると、放熱フィン２１Ｂに付着した温水が加熱されて気化し、蒸気が発生する。
【００５７】
これにより、ヒータ２０Ｂにノズル３１で温水を噴霧して発生させた蒸気Ｖが、送風ファン部１０Ｂの吹出口１４から吹き出される空気で送風されると共にヒータ２０Ｂで加熱され、フロントパネル４０の吹出口グリル４２から蒸気を含む温湿風が吹き出される。
【００５８】
更に、ノズル３１から噴霧された温水Ｍの一部はネット２４で保持され、ヒータ２０Ｂで加熱された空気が送風ファン部１０Ｂで送風されてネット２４を通過することで気化されて、蒸気Ｖとして吹出口グリル４２から吹き出される。
【００５９】
このように、第２の実施の形態の加湿装置１Ｂでも、ヒータ２０Ｂに直接温水を噴霧して蒸気を発生させることで、温水の噴霧を開始してから、気化されるまでの時間が短縮される。また、貯水せずに蒸気を発生させることから、給湯の初期段階で温度の低い温水がヒータ２０Ｂに噴霧されても、気化に要する時間が大幅に延びることがなく、温水の温度が上昇するまでの捨て水が不要である。このため、ヒータ２０Ｂに水を噴霧するように構成しても良い。
【００６０】
そして、ヒータ２０Ｂを縦向きに配置して、ノズル３１から噴霧された温水を放熱フィン２１Ｂの面で受けられるようにすることで、ノズル３１から噴霧された温水が放熱フィン２１Ｂに保持される。これにより、ヒータ２０Ｂに供給した温水が気化されることなく排水されてしまい無駄となる水垂れが防止されるので、ノズル３１からヒータ２０Ｂに噴霧された温水を、ヒータ２０Ｂの加熱で効率良く蒸気化することができる。
【００６１】
更に、ノズル３１で温水が噴霧されるヒータ２０Ｂを風路形成部１３の水平部分に配置することで、フロントパネル４０の吹出口グリル４２にヒータ２０Ｂが直接面しないようにして、ノズル３１から噴霧した温水が、吹出口グリル４２から直接滴下しにくい構成となっている。
【００６２】
そして、第２の実施の形態の加湿装置１Ｂでも、吹出口グリル４２の内側にネット２４を備えることで、水垂れがより確実に防止されると共に、無駄を一層減らすことができる。
【００６３】
＜第３の実施の形態の加湿装置の構成例＞
図６は、第３の実施の形態の加湿装置の一例を示す構成図である。第３の実施の形態の加湿装置１Ｃは、空気を吸い込んで吹き出す送風ファン部１０Ｃと、送風ファン部１０Ｃで吹き出される空気を加熱するヒータ２０Ｃと、ヒータ２０Ｃに温水を噴霧する給水機構３０とを備える。
【００６４】
送風ファン部１０Ｃは送風手段の一例で、ファンモータ１１Ｍにより回転駆動される多翼のファン１１と、ファン１１の軸方向に沿った下部に形成される吸込口１２と、ファン１１の径方向に沿った風路形成部１３と、風路形成部１３とつながった下部に形成される吹出口１４とを備える。
【００６５】
ヒータ２０Ｃは加熱手段の一例で、ファン１１の径方向に沿って側方に延びる風路形成部１３に、ＰＴＣヒータ等の電気ヒータを備えて構成される。
【００６６】
給水機構３０は給水手段の一例で、ヒータ２０Ｃに温水（水）を噴霧するノズル３１と、図示しない給湯装置とつながって、ノズル３１に温水ＳＷを供給する給水配管３２と、ノズル３１からの温水の噴霧の有無を切り換えるノズル弁３３とを備える。
【００６７】
ノズル３１は、温水の吹出方向を略水平に向けて、ヒータ２０Ｃの側部に設置される。
【００６８】
加湿装置１Ｃは、下面にフロントパネル４０を備える。フロントパネル４０は、送風ファン部１０Ｃの吸込口１２とつながる吸込口グリル４１と、送風ファン部１０Ｃの吹出口１４とつながる吹出口グリル４２を備える。
【００６９】
加湿装置１Ｃは、吹出口グリル４２の内側の吹出口１４に、図３で説明したネット２４を備える。ネット２４は、ノズル３１から噴霧され、ヒータ２０Ｃで保持されない温水を保持して、水垂れを防止する。また、ヒータ２０Ｃで加熱された空気がネット２４を通過することで、ネット２４で保持された温水が蒸気化される。
【００７０】
図７は、第３の実施の形態におけるヒータの一例を示す構成図で、図７（ａ）は、ヒータ２０Ｃの正面図、図７（ｂ）は、ヒータ２０Ｃの側面図である。
【００７１】
ヒータ２０Ｃは、図示しない発熱体が収納された板状の軸部２３の上面に、複数枚の放熱フィン２１Ｃが立設され、各放熱フィン２１Ｃが空気の流れる方向に沿って水平方向に並列するように、風路形成部１３に横向きに配置される。
【００７２】
軸部２３は水保持手段の一例で、ヒータ２０Ｃに噴霧され、各放熱フィン２１Ｃを伝わって下方に流れる温水が軸部２３で保持される。なお、軸部２３の下面には放熱フィンは設けられず、放熱フィンを伝わって温水が滴下しないように構成されている。
【００７３】
これにより、ノズル３１から噴霧された温水を放熱フィン２１Ｃが立設する軸部２３で保持することで水垂れが防止され、ノズル３１からヒータ２０Ｃに噴霧された温水を、ヒータ２０Ｃの加熱で効率良く蒸気化することができる。
【００７４】
＜第３の実施の形態の加湿装置の動作例＞
次に、第３の実施の形態の加湿装置１Ｃの動作例を、各図を参照して説明する。
【００７５】
加湿装置１Ｃは、送風ファン部１０Ｃのファンモータ１１Ｍを駆動して、ファン１１を回転させる。また、ヒータ２０Ｃに通電して、放熱フィン２１Ｃを加熱させると共に、給水機構３０のノズル弁３３を開いて、加熱された放熱フィン２１Ｃにノズル３１からミストにした温水Ｍを噴霧させる。
【００７６】
加湿装置１Ｃは、ファン１１が回転すると、フロントパネル４０の吸込口グリル４１から送風ファン部１０Ｃの吸込口１２に空気ＲＡが吸い込まれ、吸込口１２から吸い込まれた空気は風路形成部１３を送風され、吹出口１４から吹き出される。
【００７７】
また、加湿装置１Ｃは、ヒータ２０Ｃに通電すると共に、ヒータ２０Ｃにノズル３１から温水Ｍを噴霧すると、放熱フィン２１Ｃに付着した温水が加熱されて気化し、蒸気が発生する。
【００７８】
これにより、ヒータ２０Ｃにノズル３１で温水を噴霧して発生させた蒸気Ｖが、送風ファン部１０Ｃの吹出口１４から吹き出される空気で送風されると共にヒータ２０Ｃで加熱され、フロントパネル４０の吹出口グリル４２から蒸気を含む温湿風が吹き出される。
【００７９】
更に、ノズル３１から噴霧された温水Ｍの一部はネット２４で保持され、ヒータ２０Ｃで加熱された空気が送風ファン部１０Ｃで送風されてネット２４を通過することで気化されて、蒸気Ｖとして吹出口グリル４２から吹き出される。
【００８０】
このように、第３の実施の形態の加湿装置１Ｃでも、ヒータ２０Ｃに直接温水を噴霧して蒸気を発生させることで、温水の噴霧を開始してから、気化されるまでの時間が短縮される。また、貯水せずに蒸気を発生させることから、給湯の初期段階で温度の低い温水がヒータ２０Ｃに噴霧されても、気化に要する時間が大幅に延びることがなく、温水の温度が上昇するまでの捨て水が不要である。このため、ヒータ２０Ｃに水を噴霧するように構成しても良い。
【００８１】
そして、ヒータ２０Ｃを横向きに配置して、ノズル３１から噴霧された温水を放熱フィン２１Ｃが立設した軸部２３で受けられるようにすることで、ノズル３１から噴霧された温水が放熱フィン２１Ｃの間に保持される。これにより、ヒータ２０Ｃに供給した温水が気化されることなく排水されてしまい無駄となる水垂れが防止されるので、ノズル３１からヒータ２０Ｃに噴霧された温水を、ヒータ２０Ｃの加熱で効率良く蒸気化することができる。
【００８２】
ここで、第１の実施の形態や第２の実施の形態のヒータでは、軸部の両面に放熱フィンが立設した形態であるのに対し、第３の実施の形態のヒータ２０Ｃでは、軸部２３の片面（上面）のみに放熱フィン２１Ｃが立設した形態である。
【００８３】
そこで、放熱フィン２１Ｃの長さを、軸部の両面に配置される形態の放熱フィンの略２枚分に伸ばし、放熱効果を維持する。
【００８４】
更に、ノズル３１で温水が噴霧されるヒータ２０Ｃを風路形成部１３の水平部分に配置することで、フロントパネル４０の吹出口グリル４２にヒータ２０Ｃが直接面しないようにして、ノズル３１から噴霧した温水が、吹出口グリル４２から直接滴下しにくい構成となっている。
【００８５】
そして、第３の実施の形態の加湿装置１Ｃでも、吹出口グリル４２の内側にネット２４を備えることで、水垂れがより確実に防止されると共に、無駄を一層減らすことができる。
【００８６】
＜本実施の形態の加湿空調システムの構成例＞
図８は、本実施の形態の加湿空調システムの一例を示す構成図で、次に、上述した加湿装置１（１Ａ，１Ｂ，１Ｃ）を備えた加湿空調システムの構成及び加湿装置１の設置例について各図を参照して説明する。
【００８７】
加湿空調システム１００は、加湿装置１Ａ〜１Ｃの何れかと、浴室空調装置５を備える。
【００８８】
加湿装置１は、浴室５１に設置される。浴室５１の天井パネル５１ａには、図１で説明した加湿装置１Ａ等の本体が入る開口部が形成され、加湿装置１は、フロントパネル４０が露出するようにして、天井裏から吊り下げる形態、あるいは天井パネル５１ａに固定する形態等で設置される。
【００８９】
浴室５１の天井パネル５１ａに取り付けられた加湿装置１は、給水配管３２が図示しない給湯装置と接続される。
【００９０】
加湿装置１が設置された浴室５１には、加湿装置１との連動で浴室５１の加湿暖房を行う浴室空調装置５が設置される。浴室空調装置５は空調装置の一例で、ファンやヒータ等を備え、浴室５１の空気ＲＡを吸い込んで循環させて、温風ＨＡ等を吹き出す機能と、浴室５１から吸い込んだ空気ＥＡを屋外に排気する機能等を有する。
【００９１】
浴室５１の天井パネル５１ａには、浴室空調装置５の本体が入る開口部が形成され、浴室空調装置５は、空気が吸い込まれる吸込口グリルや空気が吹き出される吹出口グリルが形成されたフロントパネル６０が露出するようにして、天井裏から吊り下げる形態、あるいは天井パネル５１ａに固定する形態等で設置される。
【００９２】
浴室５１の天井パネル５１ａに取り付けられた浴室空調装置５は、図示しない排気口に排気ダクト６１が接続される。排気ダクト６１は、図示しない建物の外壁５２に取り付けた屋外グリル６１ａに接続され、浴室空調装置５で浴室５１等から吸い込んだ空気を、排気ダクト６１を介して屋外に排気できる構成となっている。
【００９３】
加湿装置１及び浴室空調装置５は、浴室５１に隣接した洗面脱衣所５３に設置された主操作部７で入浴者等の操作を受け、主操作部７で選択された運転モードが実行される。
【００９４】
＜本実施の形態の加湿空調システムの動作例＞
加湿空調システム１００は、主操作部７の所定の操作で加湿暖房運転モードが選択されると、まず、浴室空調装置５で図示しないヒータとファンを駆動して、循環風により温風ＨＡを吹き出す暖房運転を行い、浴室５１を暖房する。
【００９５】
浴室空調装置５による暖房運転を行って、図示しない温度センサで検知された浴室５１の温度が所定温度に達したと判断した場合、または、暖房運転を開始してから所定時間が経過した場合等、浴室５１の状態が加湿に適した状態となると、浴室空調装置５の暖房運転は停止する。
【００９６】
そして、上述したように、加湿装置１でヒータに温水を噴霧して発生させた蒸気Ｖを、送風ファン部による循環風で吹き出して、浴室５１の加湿暖房を行う加湿暖房運転モードが実行される。
【００９７】
このように、加湿装置１と浴室空調装置５でヒータが同時に駆動されないように制御を行うことで、消費電力を抑えることができる。また、浴室空調装置５で浴室５１の暖房を行うことで、短時間で浴室５１内の温度をミスト浴に適した温度まで上げることができる。
【００９８】
そして、加湿装置１では、上述したように、ヒータに直接温水を噴霧して蒸気を発生させることで、温水の噴霧を開始してから、気化されるまでの時間が短縮され、短時間で浴室５１内の湿度をミスト浴に適した湿度まで上げることができる。
【００９９】
なお、浴室空調装置５単体の動作では、浴室空調装置５で循環風により温風ＨＡを吹き出して、浴室５１の暖房を行う暖房運転モードが実行される。また、浴室空調装置５で浴室５１内の空気を屋外に排出して、浴室５１の換気を行う換気運転モード、及び、所定時間で図示しない建物の空気が入れ替えられる風量で換気を行う２４時間換気運転モードが実行される。
【０１００】
更に、浴室空調装置５で循環風により温風ＨＡを吹き出しながら、浴室５１内の空気を屋外に排出して、浴室５１に干された衣類等の乾燥を行う乾燥運転モードと、浴室空調装置５で循環風により送風を吹き出す涼風運転モードが実行される。
【０１０１】
＜第１の実施の形態の加湿空調装置の構成例＞
図９は、第１の実施の形態の加湿空調装置の一例を示す構成図である。第１の実施の形態の加湿空調装置１Ｄは、空気を吸い込んで吹き出す送風ファン部１０Ｄと、送風ファン部１０Ｄで吹き出される空気を、図８に示すような浴室５１に吹き出すか排気するかを切り換える風路切換ダンパ８０を備える。また、送風ファン部１０Ｄで浴室５１に吹き出される空気を加熱するヒータ２０Ａと、ヒータ２０Ａに温水を噴霧する給水機構３０とを備える。
【０１０２】
送風ファン部１０Ｄは送風手段の一例で、ファンモータ１１Ｍにより回転駆動される多翼のファン１１と、ファン１１の軸方向に沿った下部に形成される吸込口１２と、ファン１１の径方向に沿った風路形成部１３と、風路形成部１３とつながった下部に形成される吹出口１４と、風路形成部１３とつながった側部に形成される排気口１５とを備える。
【０１０３】
風路切換ダンパ８０は風路切換手段の一例で、図示しないダンパモータの駆動力が伝達され、軸８０ａを支点に回転して風路の開閉動作を行う。すなわち、風路切換ダンパ８０を図９に実線で示す循環位置とすると、排気口１５への風路が遮断され、吸込口１２から吹出口１４へ連通した循環風路１６ａが形成される。
【０１０４】
また、風路切換ダンパ８０を図９に破線で示す換気位置とすると、吹出口１４への風路が遮断され、吸込口１２から排気口１５へ連通した換気風路１６ｂが形成される。
【０１０５】
更に、風路切換ダンパ８０を図９に一点鎖線で示す分流位置とすると、吸込口１２から吹出口１４へ連通した循環風路１６ａと、吸込口１２から排気口１５へ連通した換気風路１６ｂの双方が形成される。
【０１０６】
ヒータ２０Ａは加熱手段の一例で、吹出口１４にＰＴＣヒータ等の電気ヒータを備えて構成される。なお、ヒータ２０Ａの構成は、上述した図２で説明したものと同じで良く、空気の流れる方向に沿って複数枚の放熱フィン２１Ａが並列し、各放熱フィン２１Ａに水垂れ防止穴２２が開けられている。
【０１０７】
給水機構３０は給水手段の一例で、ヒータ２０Ａに温水（水）を噴霧するノズル３１と、図示しない給湯装置とつながって、ノズル３１に温水ＳＷを供給する給水配管３２と、ノズル３１からの温水の噴霧の有無を切り換えるノズル弁３３とを備える。
【０１０８】
ノズル３１は、温水の吹出方向を上方に向けて、ヒータ２０Ａの下方に設置され、ノズル３１から噴霧される温水が、直接滴下しないようにしている。
【０１０９】
加湿空調装置１Ｄは、下面にフロントパネル４０を備える。フロントパネル４０は、送風ファン部１０Ａの吸込口１２とつながる室内吸込口としての吸込口グリル４１と、送風ファン部１０Ａの吹出口１４とつながる室内吹出口としての吹出口グリル４２を備える。
【０１１０】
加湿空調装置１Ｄは、吹出口グリル４２の内側でヒータ２０Ａの下方の吹出口１４に、図３で説明したネット２４を備える。ネット２４は、ノズル３１から噴霧され、ヒータ２０Ａで保持されない温水を保持して、水垂れを防止する。また、ヒータ２０Ａで加熱された空気がネット２４を通過することで、ネット２４で保持された温水が蒸気化される。
【０１１１】
加湿空調装置１Ｄは、排気口１５に排気ダクトジョイント１７が取り付けられ、排気ダクトジョイント１７に図示しない排気ダクトが接続され、排気ダクトに建物の外壁に取り付けられた屋外グリルが接続されて、加湿空調装置１Ｄで浴室等から吸い込んだ空気を屋外に排気できる構成となっている。
【０１１２】
＜第１の実施の形態の加湿空調装置の動作例＞
次に、第１の実施の形態の加湿空調装置１Ｄの動作例を、各図を参照して説明する。
【０１１３】
加湿空調装置１Ｄは、加湿暖房運転モードが選択されると、風路切換ダンパ８０を図９に実線で示す循環位置とすると共に、送風ファン部１０Ｄのファンモータ１１Ｍを駆動して、ファン１１を回転させる。また、ヒータ２０Ａに通電して、放熱フィン２１Ａを加熱させると共に、給水機構３０のノズル弁３３を開いて、加熱された放熱フィン２１Ａにノズル３１からミストにした温水Ｍを噴霧させる。
【０１１４】
加湿空調装置１Ｄは、風路切換ダンパ８０を循環位置として、ファン１１が回転すると、吸込口１２から吹出口１４へ連通した循環風路１６ａが形成されるので、フロントパネル４０の吸込口グリル４１から送風ファン部１０Ｄの吸込口１２に空気ＲＡが吸い込まれ、吸込口１２から吸い込まれた空気は風路形成部１３を送風され、吹出口１４から吹き出される。
【０１１５】
また、加湿空調装置１Ｄは、ヒータ２０Ａに通電すると共に、ヒータ２０Ａにノズル３１から温水Ｍを噴霧すると、放熱フィン２１Ａに付着した温水が加熱されて気化し、蒸気が発生する。
【０１１６】
これにより、ヒータ２０Ａにノズル３１で温水を噴霧して発生させた蒸気Ｖが、送風ファン部１０Ｄの吹出口１４から吹き出される空気で送風されると共にヒータ２０Ａで加熱され、フロントパネル４０の吹出口グリル４２から蒸気を含む温湿風が吹き出され、加湿暖房運転モードでは、図８に示すような浴室が加湿暖房される。
【０１１７】
更に、ノズル３１から噴霧された温水Ｍの一部はネット２４で保持され、ヒータ２０Ａで加熱された空気が送風ファン部１０Ｃで送風されてネット２４を通過することで気化されて、蒸気Ｖとして吹出口グリル４２から吹き出される。
【０１１８】
このように、第１の実施の形態の加湿空調装置１Ｄでも、ヒータ２０Ａに直接温水を噴霧して蒸気を発生させることで、温水の噴霧を開始してから、気化されるまでの時間が短縮され、短時間で浴室内の温度及び湿度をミスト浴に適した値に上げることができる。
【０１１９】
加湿空調装置１Ｄは、暖房運転モードが選択されると、風路切換ダンパ８０を図９に実線で示す循環位置とすると共に、送風ファン部１０Ｄのファンモータ１１Ｍを駆動して、ファン１１を回転させる。また、ヒータ２０Ａに通電して、放熱フィン２１Ａを加熱させる。
【０１２０】
加湿空調装置１Ｄは、風路切換ダンパ８０を循環位置として、ファン１１が回転すると、フロントパネル４０の吸込口グリル４１から送風ファン部１０Ｄの吸込口１２に空気ＲＡが吸い込まれ、吸込口１２から吸い込まれた空気は風路形成部１３を送風され、吹出口１４から吹き出される。
【０１２１】
そして、加湿空調装置１Ｄは、ヒータ２０Ａに通電すると、送風ファン部１０Ｄの吹出口１４から吹き出される空気が加熱され、フロントパネル４０の吹出口グリル４２から温風ＨＡが吹き出される。これにより、暖房運転モードでは、浴室の空気を循環させながら浴室に温風が吹き出されて、浴室内が暖房される。
【０１２２】
加湿空調装置１Ｄは、換気運転モードが選択されると、風路切換ダンパ８０を図９に破線で示す換気位置とすると共に、送風ファン部１０Ｄのファンモータ１１Ｍを駆動して、ファン１１を回転させる。
【０１２３】
加湿空調装置１Ｄは、ファン１１が回転すると、フロントパネル４０の吸込口グリル４１から送風ファン部１０Ｄの吸込口１２に空気ＲＡが吸い込まれる。風路切換ダンパ８０を換気位置とすると、吸込口１２から排気口１５へ連通した換気風路１６ｂが形成されるので、送風ファン部１０Ｄの吸込口１２から吸い込まれた空気は風路形成部１３を送風され、排気口１５から図示しない排気ダクトを通り排気ＥＡとして屋外に排出される。これにより、換気運転モードでは、浴室内の湯気や湿気が屋外に排気されて、浴室が換気される。
【０１２４】
加湿空調装置１Ｄは、乾燥運転モードが選択されると、風路切換ダンパ８０を図９に一点鎖線で示す分流位置とすると共に、送風ファン部１０Ｄのファンモータ１１Ｍを駆動して、ファン１１を回転させる。また、ヒータ２０Ａに通電して、放熱フィン２１Ａを加熱させる。
【０１２５】
加湿空調装置１Ｄは、ファン１１が回転すると、フロントパネル４０の吸込口グリル４１から送風ファン部１０Ｄの吸込口１２に空気ＲＡが吸い込まれる。風路切換ダンパ８０を分流位置とすると、吸込口１２から吹出口１４へ連通した循環風路１６ａと、吸込口１２から排気口１５へ連通した換気風路１６ｂの双方が形成されるので、送風ファン部１０Ｄの吸込口１２から吸い込まれた空気の所定量は、吹出口１４から吹き出される。そして、ヒータ２０Ａに通電すると、送風ファン部１０Ｄの吹出口１４から吹き出される空気が加熱され、フロントパネル４０の吹出口グリル４２から温風ＨＡが吹き出される。
【０１２６】
また、送風ファン部１０Ｄの吸込口１２から吸い込まれた空気の残部は、排気口１５から図示しない排気ダクトを通り排気ＥＡとして屋外に排出される。これにより、乾燥運転モードでは、浴室の空気の一部を循環させて、温風を吹き出しながら、浴室内の湯気や湿気が屋外に排気されて、衣類や浴室が乾燥される。
【０１２７】
加湿空調装置１Ｄは、涼風運転モードが選択されると、風路切換ダンパ８０を図９に一点鎖線で示す分流位置とすると共に、送風ファン部１０Ｄのファンモータ１１Ｍを駆動して、ファン１１を回転させる。
【０１２８】
加湿空調装置１Ｄは、風路切換ダンパ８０を分流位置としてファン１１が回転すると、フロントパネル４０の吸込口グリル４１から送風ファン部１０Ｄの吸込口１２に空気ＲＡが吸い込まれ、吸込口１２から吸い込まれた空気の所定量は、吹出口１４から吹き出される。そして、フロントパネル４０の吹出口グリル４２から室温に応じた空気が吹き出される。
【０１２９】
また、送風ファン部１０Ｄの吸込口１２から吸い込まれた空気の残部は、排気口１５から図示しない排気ダクトを通り屋外に排気される。これにより、涼風運転モードでは、浴室の空気の一部を循環させて送風しながら、浴室内の湯気や湿気が屋外に排気される。
【０１３０】
このように、第１の実施の形態の加湿空調装置１Ｄでは、装置単体で室内の加湿暖房が行えると共に、加湿を伴わない暖房や換気等が行えるので、浴室換気乾燥暖房機１台分の設置スペースがあれば、加湿暖房の機能を併設した装置を設置することができ、設置場所の制約を低減することができると共に、コストを低減することができる。
【０１３１】
なお、第１の実施の形態の加湿空調装置１Ｄは、上述した第１の実施の形態の加湿装置１Ａに換気の機能を追加することで実現しているが、第２の実施の形態の加湿装置１Ｂや第３の実施の形態の加湿装置１Ｃに換気の機能を追加することで実現しても良い。
【産業上の利用可能性】
【０１３２】
本発明は、浴室やシャワー室等の加湿暖房を行う加湿空調システムに適用される。
【図面の簡単な説明】
【０１３３】
【図１】第１の実施の形態の加湿装置の一例を示す構成図である。
【図２】第１の実施の形態におけるヒータの一例を示す構成図である。
【図３】ネットの一例を示す平面図である。
【図４】第２の実施の形態の加湿装置の一例を示す構成図である。
【図５】第２の実施の形態におけるヒータの一例を示す構成図である。
【図６】第３の実施の形態の加湿装置の一例を示す構成図である。
【図７】第３の実施の形態におけるヒータの一例を示す構成図である。
【図８】本実施の形態の加湿空調システムの一例を示す構成図である。
【図９】第１の実施の形態の加湿空調装置の一例を示す構成図である。
【符号の説明】
【０１３４】
１Ａ，１Ｂ，１Ｃ・・・加湿装置、１Ｄ・・・加湿空調装置、１０Ａ，１０Ｂ，１０Ｃ，１０Ｄ・・・送風ファン部、１１・・・ファン、１１Ｍ・・・ファンモータ、１２・・・吸込口、１３・・・風路形成部、１４・・・吹出口、１５・・・排気口、２０Ａ，２０Ｂ，２０Ｃ・・・ヒータ、２１Ａ，２１Ｂ，２１Ｃ・・・放熱フィン、２２・・・水垂れ防止穴、２３・・・軸部、２４・・・ネット、３０・・・給水機構、３１・・・ノズル、３２・・・給水配管、３３・・・ノズル弁、４０・・・フロントパネル、４１・・・吸込口グリル、４２・・・吹出口グリル、５・・・浴室空調装置、５１・・・浴室、７・・・主操作部、８０・・・風路切換ダンパ
【図１】
2008215684.tif 000003
【図２】
2008215684.tif 000004
【図３】
2008215684.tif 000005
【図４】
2008215684.tif 000006
【図５】
2008215684.tif 000007
【図６】
2008215684.tif 000008
【図７】
2008215684.tif 000009
【図８】
2008215684.tif 000010
【図９】
2008215684.tif 000011